(57)【特許請求の範囲】
【請求項１】
便器に固定される本体部と、
使用者が着座する着座面を有し、前記本体部に対して上下方向に回動自在な便座と、
噴出部から洗浄水を噴出して使用者の人体局部を洗浄する洗浄装置とを備え、
前記便座を下げた状態における、前記便座の開口における前記着座面から前記便器の上面に向かって延びる側壁は、前記本体部側に向かって高くなる形状となり、
前記噴出部は、前記本体部の内部の所定位置に支持され、伸縮なくして前記本体部の内部より洗浄水を噴出し、
前記本体部は、第１の噴出口を有し、
前記本体部の面と対向する前記側壁は、前記第１の噴出口と整列する位置に第２の噴出口を有し、
前記噴出部は、前記第１の噴出口と前記第２の噴出口とを介して使用者の人体局部に洗浄水を噴出する
便座装置。
【発明の詳細な説明】
【技術分野】
【０００１】
本発明は、便座装置に関するものである。
【背景技術】
【０００２】
従来、ボウルとボウル上端部に内側に折り返されたフランジを有する便器と、便器に固定されフランジの内壁に沿って内周面を有する本体部と、本体部に収容され、人体局部を洗浄する際に本体部より突出するノズルの先端から洗浄水を噴出する噴出部を有する局部洗浄装置と、本体部に対して回動自在に取り付けられる便座と、を備える便座装置が知られている（例えば、特許文献１参照）。
【先行技術文献】
【特許文献】
【０００３】
【特許文献１】特開２００７−２７０６０１号公報
【発明の概要】
【発明が解決しようとする課題】
【０００４】
しかしながら、特許文献１に示される便座装置では、人体局部洗浄時には、ノズルを本体部より突出して噴出部が人体局部に近い位置にて洗浄水を噴出するため、ノズルの周囲に飛散する汚水が噴出部に付着する虞がある。このため、噴出部が汚れにくい構造が必要である。
【０００５】
そこで、本発明は上記問題点に鑑みて成されたものであり、噴出部に汚水が付着するのを抑制することを課題とする。
【課題を解決するための手段】
【０００６】
本発明の課題解決手段は、便器に固定される本体部と、使用者が着座する着座面を有し、前記本体部に対して上下方向に回動自在な便座と、噴出部から洗浄水を噴出して使用者の人体局部を洗浄する洗浄装置とを備え、前記便座を下げた状態における、前記便座の開口における前記着座面から前記便器の上面に向かって延びる側壁は、前記本体部側に向かって高くなる形状となり、前記噴出部は、前記本体部の内部の所定位置に支持され、伸縮なくして前記本体部の内部より洗浄水を噴出する構成である。
【０００７】
上記構成において、前記噴出部は、前記本体部に設けられた噴出口を介して使用者の人体局部に洗浄水を噴出する構成とすると良い。
【０００８】
また、前記本体部は、第１の噴出口を有し、前記本体部の面と対向する前記側壁は、前記第１の噴出口と整列する位置に第２の噴出口を有し、前記噴出部は、前記第１の噴出口と前記第２の噴出口とを介して使用者の人体局部に洗浄水を噴出する構成としても良い。
【発明の効果】
【０００９】
本発明の便座装置によれば、人体局部洗浄時には、噴出部を本体部より突出させず伸縮なくして噴出部が洗浄水を噴出するため、人体局部に噴出部が近付かない構成となり、噴出口の周囲に飛散する汚水が噴出部に付着するのを抑制する。
【００１０】
また、本体部に噴出口を有するため、噴出口の周囲に飛散する汚水が本体部で防がれ、噴出部に汚水が付着するのを抑制することができる。
【００１１】
また、側壁に第２の噴出口を有するため、第２の噴出口の周囲に飛散する汚水が側壁で防がれ、噴出部に汚水が付着するのを抑制することができる。
【図面の簡単な説明】
【００１２】
【図１】本発明の実施形態に係る便座装置を便器に取り付けた場合の正面図である。
【図２】本発明の実施形態に係る便座装置の発明要所の部分断面図である。
【図３】本発明の実施形態に係る便座装置の使用時の説明図である。
【図４】本発明の実施形態に係る洗浄装置の流水回路のブロック図である。
【図５】本発明の実施形態に係る便座装置の噴出部の構成を示した要所部分断面図である。
【図６】本発明の変形例に係る便座装置を便器に取り付けた場合の正面図である。
【図７】本発明の変形例に係る便座装置の発明要所の部分断面図である。
【発明を実施するための形態】
【００１３】
以下、本発明の実施例を図面に基づいて説明する。
【００１４】
図１〜３に示すように、便座装置１は便器２の上面に固定される本体部３と、本体部３に対して回動軸１０を中心に上下方向に回動自在な便座４と、使用者の人体局部を洗浄する洗浄装置５と、を備える。
【００１５】
便器２の上面に当接するよう便座４を下げた状態における、便座４は、上面に使用者が着座する着座面１１を有する。便座４は、使用時に着座面１１の使用者の足がある側を前方とし、着座面１１の本体部３側を後方とすると、便座４の開口における着座面１１から便器２の上面に向かって延びる側壁１３は後方（本体部３側）に向かって高くなる形状となる。言い換えると、便座前方部１４に対して便座後方部１５は高くなっており、便座４の着座面１１は便座前方部１４と便座後方部１５とが傾斜して同一平面状となる面が形成される。ここで、着座面１１とは使用者が着座する範囲に限らず、便座４の着座する側の面全体のことをいい、例えば、便座後方部１５としては回動軸１０の位置まで延在する部分を含むものである。
【００１６】
洗浄装置５は、本体部３の内部の所定位置に支持され、後述する流水回路２０より洗浄水を供給され、伸縮なくして本体部３の内部より洗浄水を噴出する噴出部２１を有する。また、洗浄装置５は、本体部３の前面２２に、開閉可能であって噴出部２１より洗浄水を噴出する際に開くシャッター２３（噴出口）を有する。
【００１７】
図４に示すように、流水回路２０において、洗浄水を供給する水は、水道は第１パイプ３０を介して給水バルブ３１と接続され、給水バルブ３１は第２パイプ３２を介して温水タンク３３と接続される。温水タンク３３は、内部に貯めた洗浄水を温めるヒーター３４と、洗浄水の温度を検知するセンサー３５とを有する。また、温水タンク３３は第３パイプ３６を介して流調バルブ３７と接続され、流調バルブ３７は第４パイプ３８を介して噴出部２１と接続される。噴出部２１は前方に洗浄水を噴出する孔２１ａを有する。
【００１８】
また、シャッター２３は、図５に示すように、下方に開口した凹形状の上摺動部２４と、上方に開口した凹形状の下摺動部２５とに摺動可能に挟持され、駆動源となるモーター４０と、モーター４０に取り付けられるピニオンギア４１と、ピニオンギア４１と噛み合いシャッター２３に設けられるラック４２とによりシャッター２３を回動軸１０長手方向に開閉可能に設けられる。
【００１９】
そして、流水回路２０は、図示しない外部電源に接続され、給水バルブ３１と、ヒーター３４と、センサー３５と、流調バルブ３７と、モーター４０と、を制御する制御装置５０を備える。
【００２０】
本発明の実施形態の動作について説明する。図３に示すように使用者が着座面１１に座った状態で、図示しない操作部で人体局部の洗浄の操作を行うと、モーター４０が回転してピニオンギア４１が図４において反時計回りに回転し、ラック４２を有するシャッター２３が温水タンク３３のある右手方向へと変位してスライドして開口され、洗浄水が流水回路２０を通って噴出部２１から噴出し、人体局部の洗浄を行う。また、人体局部の洗浄を終えると、噴出部２１は洗浄水の噴出を止め、モーター４０が回転してピニオンギア４１が図４において時計回りに回転し、ラック４２を有するシャッター２３が制御装置５０のある左手方向へと変位してスライドして閉口する。
【００２１】
本発明の実施形態に係る効果を説明する。
【００２２】
本発明の実施形態に係る便座装置１によれば、噴出部２１を本体部３より突出させず（伸縮なくして）洗浄を行うため、シャッター２３の周囲に飛散する汚水（使用者が用を足す時の汚水など）が噴出部２１に付着するのを抑制する。
【００２３】
また、本体部３にシャッター２３を有するため、シャッター２３の周囲に飛散する汚水がシャッター２３で防がれ、噴出部２１に汚れが付着するのを抑制することができる。
【００２４】
本発明の変形例を図６、７に基づいて説明する。
【００２５】
図６、７に示すように便座装置１ａは便器２の上面に固定される本体部３ａと、本体部３ａに対して回動軸１０ａを中心に上下方向に回動自在な便座４ａと、使用者の人体局部を洗浄する洗浄装置５ａと、を備える。
【００２６】
便器２の上面に当接するよう便座４ａを下げた状態における、便座４ａは、上面に使用者が着座する着座面１１ａを有する。便座４ａは、使用時に着座面１１ａの使用者の足がある側を前方とすると、便座４ａの開口における着座面１１ａから便器２の上面に向かって延びる側壁１３ａは後方（本体部３ａ側）に向かって高くなる形状となる。言い換えると、便座前方部１４ａに対して便座後方部１５ａは高くなっており、便座４ａの着座面１１ａは便座前方部１４ａと便座後方部１５ａとが傾斜して同一平面状となる面が形成される。ここで、着座面１１ａとは使用者が着座する範囲に限らず、便座４ａの着座する側の面全体のことをいい、例えば、便座後方部１５ａとしては回動軸１０ａの位置まで延在する部分を含むものである。
【００２７】
洗浄装置５ａは、本体部３ａの内部の所定位置に支持され、図示しない流水回路２０ａより洗浄水を供給され、伸縮なくして本体部３ａの内部より洗浄水を噴出する噴出部２１ａを有する。また、本体部３ａは前面２２ａに第１の噴出口２３ａを有し、第１の噴出口２３ａは噴出部２１ａと当接し、便座４ａは前面２２ａと対向し便座後方部１５ａから下方に向かって延出する前面１７ａ（側壁）を備え、前面１７ａは第１の噴出口２３ａと整列する位置に第２噴出口１８ａを有する。言い換えると、本体部３ａ及び便座４ａは、第１の噴出口２３ａ及び第２の噴出口１８ａを一直線上に整列する位置に有する。また、第１の噴出口２３ａ及び第２の噴出口１８ａは洗浄水を噴出できる程度の微少な孔である。
【００２８】
本発明の変形例に係る効果を説明する。
【００２９】
本発明の変形例に係る便座装置１によれば、噴出部２１ａを本体部３ａより突出させず（伸縮なくして）洗浄を行うため、噴出口２３ａの周囲に飛散する汚水（使用者が用を足す時の汚水など）が噴出部２１ａに付着するのを抑制する。
【００３０】
また、前面１７ａに第２の噴出口１８ａを有するため、噴出口１８ａの周囲に飛散する汚水が前面１７ａで防がれ、噴出部２１ａに汚水が付着するのを抑制することができる。
【００３１】
また、前面２２ａに第１の噴出口２３ａを有するため、第２の噴出口１８ａを通過してきた汚水が前面２２ａで防がれ、噴出部２１ａに汚水が付着するのを抑制することができる。
【００３２】
また、ノズルやシャッター２３を用いる場合と異なり、駆動機構を必要としないため、部品点数及び組付け工数を低減させ、コストを抑制することができる。
【符号の説明】
【００３３】
１      便座装置
２      便器
３      本体部
４      便座
５      洗浄装置
１１    着座面
２１    噴出部
２３    シャッター（噴出口）
【図１】
0005884587.tif 000002
【図２】
0005884587.tif 000003
【図３】
0005884587.tif 000004
【図４】
0005884587.tif 000005
【図５】
0005884587.tif 000006
【図６】
0005884587.tif 000007
【図７】
0005884587.tif 000008